(57)【要約】      （修正有）【課題】櫛密度調整可能な櫛構成を提供する。【解決手段】櫛構成は、第一櫛部及び第二櫛部３０を備えている。第一櫛部には柄部２２、複数の第一櫛歯２５、及び位置決め部２４を設け、第二櫛部３０は第一櫛部に重合し、第二櫛部３０には位置決め部２４に対応するようにプッシュボタン３３を形成している。プッシュボタン３３の底側は位置決め部２４に対応するように係合し、且つ案内部３４を設け、案内部３４内の両端には開き止め部３４１、３４２を各々設けている。第二櫛部３０が第一櫛部に対して移動することで、２つの開き止め部３４１、３４２の間で位置決め部２４に係合する位置を切り換え、用途に合わせて第一櫛歯２５及び第二櫛歯３５の間隔の変化を調整して疎密さを自由に選択する。【選択図】図２
0003232584.tif 000002
【実用新案登録請求の範囲】
【請求項１】
第一櫛部と、第二櫛部と、を備えている櫛密度調整可能な櫛構成であって、
前記第一櫛部は、扁平片状の第一基部の一端に把持するための柄部を連設し、前記第一基部には外側の直線全体に沿ってスライドを凹設し、前記柄部に隣接する箇所には位置決め部を凸設し、前記スライドとは反対になる一側には間隔を空けて複数本の第一櫛歯を形成し、
前記第二櫛部は、扁平片状の第二基部であり、前記第一基部に重合し、前記第二基部の一端には前記柄部に隣接する一側に当接するようにルート部を連設し、前記第二基部の外側には前記スライドに対応するように移動体を全体的に設置することで、前記第二櫛部を前記第一櫛部に沿ってスライドさせ、前記第二基部は前記ルート部に対応する前記第一櫛部の前記位置決め部領域にプッシュボタンを形成し、前記プッシュボタンの底面は前記位置決め部に対応するように係合し、且つ前記移動体の方向に平行する案内部を設け、前記案内部内の両端には前記位置決め部に係合して位置決めさせるための開き止め部を各々設け、前記第二櫛部が前記第一櫛部に対して移動することで、２つの前記開き止め部の間で前記位置決め部に位置決めする位置を切り換え、前記第一櫛歯及び前記第二櫛歯の間隔の疎密さを調整することを特徴とする櫛密度調整可能な櫛構成。
【請求項２】
前記第一櫛部の前記柄部の厚さは前記第一基部よりも厚く、前記第二櫛部の前記ルート部を前記柄部に隣接するように当接させることを特徴とする請求項１に記載の櫛密度調整可能な櫛構成。
【請求項３】
前記第一基部の外側の前記スライドに隣接する外縁には突出する庇部を形成し、前記第二基部は前記移動体に隣接する外縁に保護スロットを内側に向けて鉤状に延設し、前記保護スロットの凹凸を前記庇部に適合させることで前記保護スロットが前記第一櫛部の外縁を被覆していることを特徴とする請求項１に記載の櫛密度調整可能な櫛構成。
【請求項４】
前記第一基部の前記第一櫛歯及び前記第二櫛歯の間隔は同じであり、前記第一櫛部及び前記第二櫛部が上下に重合する場合、第一櫛歯及び第二櫛歯の間隔が最も広い状態となることを特徴とする請求項１に記載の櫛密度調整可能な櫛構成。
【請求項５】
前記第二櫛部の前記案内部はひょうたん型に近似する凹溝であり、前記案内部内の両端はそれぞれ前記開き止め部であり、且つ２つの前記開き止め部の間は幅がやや狭く、２つの前記開き止め部に連通する口開き部を呈することを特徴とする請求項１に記載の櫛密度調整可能な櫛構成。
【考案の詳細な説明】
【技術分野】
【０００１】
本考案は、生活用品の櫛の技術分野に関し、より詳しくは、１本の櫛でその櫛歯の間隔の疎密度を選択して調整可能な櫛密度調整可能な櫛構成に関する。
【背景技術】
【０００２】
櫛は日常生活において頭髪を整えるために不可欠な用品である。櫛の種類は多いが、基本的には櫛の用途の違いに応じて櫛歯の形態が異なるほか、櫛歯の疎密度の違いも重要である。
【考案の概要】
【考案が解決しようとする課題】
【０００３】
一例を挙げると、頭髪が湿潤な状態では絡まりやすくなるため、櫛歯の間隔が広い櫛を使用して髪を梳かすことで頭髪が痛まないようにし、頭部が引っ張られる不快感を与えないようにする。また、頭髪の狭い面積の局部領域を梳かす場合、櫛歯の間隔が狭い別の櫛を使用して梳かさねばならず、面倒であった。従来の特許文献では、例えば、下記特許文献１の「櫛ペン（以下、「特許文献１」と略称する）という記載がある。これは主に、長棒状のペンであり、第一枢設部及び第二枢設部を設けている本体と、前記本体の前記第一枢設部に枢設している第一櫛部と、前記本体の前記第二枢設部に対応するように枢設している第二櫛部と、を備えている。櫛ペンは使用者が筆記用のペンとして用いる機能以外に、第一櫛部または第二櫛部を選択的に本体に対応するように枢動させて開くことで櫛として使用可能になる。
【０００４】
しかしながら、前述した特許文献１の第一櫛部及び第二櫛部は、髪を梳かすための各櫛部分の間隔を違えることで、第一櫛部及び第二櫛部の櫛部分の分布密度を異なるものとし、疎になる部分と密になる部分を各々有しているが、第一櫛部及び第二櫛部をペンに枢設し、可動な回転状態とすると、第一櫛部及び第二櫛部を枢動させて外に向けて偏移させて操作する場合、 第一櫛部または第二櫛部とペンとの間の定位性が欠乏し、ペンを持って頭髪を梳かす際に、 第一櫛部または第二櫛部が揺動してしまうため、手に力を込めて第一櫛部または第二櫛部を握りしめねばならなかった。また、 第一櫛部及び第二櫛部の握りしめることが可能な面積が非常に小さいため、梳かす動作を行いにくく、不便であった。
【０００５】
そこで、本考案者は上記の欠点が改善可能と考え、鋭意検討を重ねた結果、合理的設計で上記の課題を効果的に改善する本考案の提案に至った。
【０００６】
本考案はこうした状況に鑑みてなされたものであり、その目的は、櫛密度調整可能な櫛構成を提供することにある。つまり、本考案は主に１本の櫛を、簡単な操作を行うことで櫛歯の間隔を切り換えて疎密度を調整可能にし、調整後の疎密状態で定位させることで、より便利で実用的に操作及び使用可能にする。
【課題を解決するための手段】
【０００７】
上記課題を解決するために、本考案のある態様の櫛密度調整可能な櫛構成は、
第一櫛部と、第二櫛部と、を備えている櫛密度調整可能な櫛構成であって、
前記第一櫛部は、扁平片状の第一基部の一端に把持するための柄部を連設し、前記第一基部には外側の直線全体に沿ってスライドを凹設し、前記柄部に隣接する箇所には位置決め部を凸設し、前記スライドとは反対になる一側には間隔を空けて複数本の第一櫛歯を形成し、
前記第二櫛部は、扁平片状の第二基部であり、前記第一基部に重合し、前記第二基部の一端には前記柄部に隣接する一側に当接するようにルート部を連設し、前記第二基部の外側には前記スライドに対応するように移動体を全体的に設置することで、前記第二櫛部を前記第一櫛部に沿ってスライドさせ、前記第二基部は前記ルート部に対応する前記第一櫛部の前記位置決め部領域にプッシュボタンを形成し、前記プッシュボタンの底面は前記位置決め部に対応するように係合し、且つ前記移動体の方向に平行する案内部を設け、前記案内部内の両端には前記位置決め部に係合して位置決めさせるための開き止め部を各々設け、前記第二櫛部が前記第一櫛部に対して移動することで、２つの前記開き止め部の間で前記位置決め部に位置決めする位置を切り換え、前記第一櫛歯及び前記第二櫛歯の間隔の疎密さを調整する。
【考案の効果】
【０００８】
本考案によれば、次のような効果がある。
１、本考案は１本の櫛を、第一櫛部及び第二櫛部を上下に重合させ、第二櫛部を押動して第一櫛部との相対的位置を改変し、第一櫛歯及び第二櫛歯の相対的位置の改変を形成している。第一櫛歯及び第二櫛歯を上下にアライメントして間隔が広い疎を形成し、第一櫛歯及び第二櫛歯をずらすことで間隔が狭い密を形成し、櫛歯の分布の疎密が異なる状態を獲得する。使用者が用途に合わせて髪を自由に梳かせるようになり、非常に便利である。
２、本考案の第一櫛部と第二櫛部との間は移動体及びスライドのレールの組み合わせにより、第二櫛部を揺動させずに移動させ、正確に直進させている。また、プッシュボタンの案内部が第一櫛歯及び第二櫛歯の分布疎密度が異なる際に、位置決め部と係合する開き止め部を各々有することで容易に位置ずれを生じにくくし、使用者が髪を梳かす際に安定的に把持可能にし、梳かす力をコントロールして快適に梳かせるようにしている。
３、本考案は操作が簡単である。手でプッシュボタンを押すのみで第一櫛歯と第二櫛歯との間の疎密度を簡単に切り換えることが可能である。
【０００９】
本明細書及び図面の記載により、少なくとも、以下の事項が明らかとなる。
【図面の簡単な説明】
【００１０】
【図１】本考案の好ましい実施例に係る櫛密度調整可能な櫛構成の例を示す外観斜視図である。
【図２】本考案の好ましい実施例に係る櫛密度調整可能な櫛構成を示す分解図である。
【図３】本考案の好ましい実施例に係る櫛密度調整可能な櫛構成の櫛歯間隔の広さを示す上面図である。
【図４】本考案の好ましい実施例に係る櫛密度調整可能な櫛構成の櫛歯間隔の広さの側面の組み合わせを示す断面図である。
【図５】本考案の好ましい実施例に係る櫛のプッシュボタンの５−５線に沿う断面図である。
【図６】本考案の好ましい実施例の櫛歯間隔が狭い状態を示す上面図である。
【図７】本考案の好ましい実施例の櫛歯間隔が狭い状態の側面を示す断面図である。
【考案を実施するための形態】
【００１１】
以下、本考案の実施の形態について、図面を参照して詳細に説明する。なお、本考案は以下の例に限定されるものではなく、本考案の要旨を逸脱しない範囲で、任意に変更可能であることは言うまでもない。
【００１２】
まず、図１、図２と図５を参照しながら、本考案に係る櫛密度調整可能な櫛構成をさらに詳しく説明する。
【００１３】
櫛１０は扁平な櫛形態を呈し、下記部材を備えている。
＜第一櫛部２０＞
【００１４】
扁平片状の第一基部２１の一端には把持するための柄部２２を連設している。柄部２２の厚さは第一基部２１より厚く、第一基部２１には外側の直線全体に沿ってスライド２３を凹設し、スライド２３に隣接する外縁には突出する庇部２３１を形成している。第一基部２１は柄部２２に隣接する箇所に突起する位置決め部２４を設け、第一基部２１の他側には間隔を空けて複数本の第一櫛歯２５を形成している。
＜第二櫛部３０＞
【００１５】
扁平片状の第二基部３１の一端にはルート部３１１を連設し、第二基部３１の外側にはスライド２３に対応するように移動体３２を全体的に凸設することで、第二櫛部３０を第一櫛部２０に沿って直線的にスライドさせている。第二基部３１には移動体３２に隣接する外縁に保護スロット３２１を内側に向けて鉤状に延設し、保護スロット３２１の凹凸を庇部２３１に適合させることで、第二櫛部３０の保護スロット３２１が第一櫛部２０の外縁を被覆し、第一櫛部２０及び第二櫛部３０のスライド２３及び移動体３２のレールが脱離しないようにしている。また、第二基部３１にはルート部３１１の位置で、第一櫛部２０の位置決め部２４に対応する領域に表面が粗く型押し加工されるプッシュボタン３３を形成している。プッシュボタン３３の底面には位置決め部２４に対応する領域に移動体３２の方向に平行する案内部３４を設け、案内部３４はひょうたん型に近似する凹溝を呈している。案内部３４内の両端はそれぞれ開き止め部３４１及び開き止め部３４２であり、開き止め部３４１及び開き止め部３４２は位置決め部２４に凹凸により係合している。案内部３４は２つの開き止め部３４１及び開き止め部３４２の間の位置の幅がやや狭く、２つの開き止め部３４１及び開き止め部３４２が連通する口開き部３４３を呈している。第二基部３１は移動体３２とは異なる他側に間隔を空けて複数本の第二櫛歯３５を形成している。前述の第一櫛部２０及び第二櫛部３０の各第一櫛歯２５及び第二櫛歯３５の間隔は同じである。第二櫛部３０を第一櫛部２０にアライメントするように重合し、これは第一基部２１及び第二基部３１並びに第一櫛歯２５及び第二櫛歯３５の部位を含み、保護スロット３２１の凹凸が庇部２３１に適合して外縁を被覆している。第二櫛部３０のルート部３１１の末端が柄部２２の隣接する一側に当接することで、第二基部３１及び柄部２２の表面が平らとなり、案内部３４の開き止め部３４１が位置決め部２４に係合することで、２つの開き止め部３４１及び開き止め部３４２の間の口開き部３４３が狭くなる。これにより、位置決め部２４が開き止め部３４１または３４２を受ける包囲面積が増加し、開き止め部３４１及び開き止め部３４２が位置決め部２４から脱離しにくくなり、外観の組み合わせは図１の櫛１０に示されるようになる。
【００１６】
図３、図４、及び図５は櫛１０が「櫛歯間隔が広い」形態を選択し形成したものを図示する。プッシュボタン３３の状態により案内部３４の開き止め部３４１を位置決め部２４に係合させ、第一櫛部２０及び第二櫛部３０を互いに揺動させず、第一櫛歯２５及び第二櫛歯３５を上下に重置している。この状態では、第一櫛歯２５または第二櫛歯３５の間隔が同じであっても、図面上ではこの広い間隔はＳと標示する。使用者が広い面積或いは湿潤な状態の頭髪を梳かす場合、櫛１０を第一櫛歯２５及び第二櫛歯３５がＳの広い間隔を呈する状態にしてから梳かす。
【００１７】
図５、図６、及び図７は櫛１０が「櫛歯間隔が狭い」形態を選択し形成したものを図示する。使用者は第一櫛部２０の基礎上でプッシュボタン３３を前進させ、プッシュボタン３３が案内部３４の範囲内にある開き止め部３４１から位置決め部２４を脱離させると、ルート部３１１も同期で移動して柄部２２に近接した状態から脱離し、ルート部３１１と柄部２２との間の距離が開く。案内部３４の他端の開き止め部３４２は移動したことで位置決め部２４に係合し、保護スロット３２１及び庇部２３１の凹凸が適合するため、第二櫛部３０がその移動体３２によりスライド２３に沿って揺動や脱落せずに直線的に安定的に移動し、第一櫛部２０及び第二櫛部３０の重合が上下にずれた状態となる。これにより第二櫛歯３５が第二櫛部３０に追随して前進し、本来第一櫛歯２５と重合していた位置から開かれ、第一櫛歯２５に接近する位置まで移動し、第一櫛歯２５及び第二櫛歯３５が上下にずれた状態で重置される。よって、第一櫛歯２５及び第二櫛歯３５の間隔Ｓ１が図３のＳよりも狭くなり、櫛歯間隔が狭い櫛１０に切り換えられ、使用者が頭髪の狭い面積を梳かすために用いる。反対に、櫛歯間隔が広い状態に戻す場合、プッシュボタン３３を反対方向に押して第二櫛歯３５を移動させるのみで、図３に示されるような第二櫛歯３５及び第一櫛歯２５が重合してアライメントされた状態に戻る。
【００１８】
上記説明は、本考案を説明するためのものであって、実用新案登録請求の範囲に記載の考案を限定し、或いは範囲を限縮するように解すべきではない。また、本考案の各部構成は、上記実施例に限らず、実用新案登録請求の範囲に記載の技術的範囲内で種々の変形が可能であることは勿論である。
【符号の説明】
【００１９】
１０  櫛
２０  第一櫛部
２１  第一基部
２２  柄部
２３  スライド
２３１  庇部
２４  位置決め部
２５  第一櫛歯
３０  第二櫛部
３１  第二基部
３１１  ルート部
３２  移動体
３２１  保護スロット
３３  プッシュボタン
３４  案内部
３４１  開き止め部
３４２  開き止め部
３４３  口開き部
３５  第二櫛歯
【図１】
0003232584.tif 000003
【図２】
0003232584.tif 000004
【図３】
0003232584.tif 000005
【図４】
0003232584.tif 000006
【図５】
0003232584.tif 000007
【図６】
0003232584.tif 000008
【図７】
0003232584.tif 000009
【手続補正書】
【提出日】令和3年4月14日(2021.4.14)
【手続補正１】
【補正対象書類名】実用新案登録請求の範囲
【補正対象項目名】全文
【補正方法】変更
【補正の内容】
【実用新案登録請求の範囲】
【請求項１】
第一櫛部と、第二櫛部と、を備えている櫛密度調整可能な櫛構成であって、
前記第一櫛部は、扁平片状の第一基部の一端に把持するための柄部を連設し、前記第一基部には外側の直線全体に沿ってスライドを凹設し、前記柄部に隣接する箇所には位置決め部を凸設し、前記スライドとは反対になる一側には間隔を空けて複数本の第一櫛歯を形成し、
前記第二櫛部は、扁平片状の第二基部であり、前記第一基部に重合し、前記第二基部の一端には前記柄部に隣接する一側に当接するようにルート部を連設し、前記第二基部の外側には前記スライドに対応するように移動体を全体的に設置することで、前記第二櫛部を前記第一櫛部に沿ってスライドさせ、前記第二基部は前記ルート部に対応する前記第一櫛部の前記位置決め部領域にプッシュボタンを形成し、前記第二基部は前記移動体とは異なる他側に間隔を空けて複数本の第二櫛歯を形成し、前記プッシュボタンの底面は前記位置決め部に対応するように係合し、且つ前記移動体の方向に平行する案内部を設け、前記案内部内の両端には前記位置決め部に係合して位置決めさせるための開き止め部を各々設け、前記第二櫛部が前記第一櫛部に対して移動することで、２つの前記開き止め部の間で前記位置決め部に位置決めする位置を切り換え、前記第一櫛歯及び前記第二櫛歯の間隔の疎密さを調整することを特徴とする櫛密度調整可能な櫛構成。
【請求項２】
前記第一櫛部の前記柄部の厚さは前記第一基部よりも厚く、前記第二櫛部の前記ルート部を前記柄部に隣接するように当接させることを特徴とする請求項１に記載の櫛密度調整可能な櫛構成。
【請求項３】
前記第一基部の外側の前記スライドに隣接する外縁には突出する庇部を形成し、前記第二基部は前記移動体に隣接する外縁に保護スロットを内側に向けて鉤状に延設し、前記保護スロットの凹凸を前記庇部に適合させることで前記保護スロットが前記第一櫛部の外縁を被覆していることを特徴とする請求項１に記載の櫛密度調整可能な櫛構成。
【請求項４】
前記第一基部の前記第一櫛歯及び前記第二櫛歯の間隔は同じであり、前記第一櫛部及び前記第二櫛部が上下に重合する場合、第一櫛歯及び第二櫛歯の間隔が最も広い状態となることを特徴とする請求項１に記載の櫛密度調整可能な櫛構成。
【請求項５】
前記第二櫛部の前記案内部はひょうたん型に近似する凹溝であり、前記案内部内の両端はそれぞれ前記開き止め部であり、且つ２つの前記開き止め部の間は幅がやや狭く、２つの前記開き止め部に連通する口開き部を呈することを特徴とする請求項１に記載の櫛密度調整可能な櫛構成。